(57)【要約】【課題】電池収納部の蓋と記憶媒体挿入部の蓋とをロックすることが可能な撮像装置を提供する。【解決手段】このビデオカメラ（撮像装置）は、電池を収納する電池収納部の電池蓋１３とメモリカード挿入部１４の蓋１５とを有する装置本体１と、装置本体１の起動時に駆動するレンズ保持部２３と、レンズ保持部２３に連動して移動する１つのロックピン１６と、ロックピン１６の移動により、電池蓋１３とメモリカード挿入部１４の蓋１５とをロックする矢印Ｇ方向に回動されるロックレバー１９とを備えている。【選択図】図９
2008199335.tif 000002
【特許請求の範囲】
【請求項１】
電池を収納する電池収納部の蓋と記憶媒体挿入部の蓋とを有する装置本体と、前記装置本体の起動時に駆動する撮像機構とを備えた撮像装置において、
前記撮像機構に連動して移動する１つのロック部材と、
前記ロック部材の移動により、前記電池収納部の蓋と前記記憶媒体挿入部の蓋とをロックする第１方向に回動される１つのロックレバーと、
前記撮像機構と前記ロック部材とを連動させる連動部材と、
前記撮像機構に含まれるレンズを保持するレンズ保持部と、
前記ロックレバーを前記第１方向とは反対の第２方向に回動するように付勢する第１バネ部材と、
前記ロック部材が前記ロックレバーと係合する位置まで移動するように付勢する第２バネ部材とをさらに備え、
前記連動部材は、前記レンズ保持部の移動を、前記ロック部材に伝達するように構成され、
前記レンズ保持部は、前記装置本体の非起動時には、前記連動部材を介して、前記ロック部材を前記第２バネ部材の付勢力に抗して付勢方向と反対方向に移動することによって、前記ロック部材を前記ロックレバーから離間させて、前記第１バネ部材の付勢力により前記ロックレバーを前記第２方向に回動させるとともに、前記装置本体の起動時には、前記第２バネ部材の付勢方向に移動することによって、前記ロック部材を前記ロックレバーに係合させて、前記第１バネ部材の付勢力に抗して前記ロックレバーを前記第１方向に回動させるように構成されている、撮像装置。
【請求項２】
電池を収納する電池収納部の蓋と記憶媒体挿入部の蓋とを有する装置本体と、
前記装置本体の起動時に駆動する撮像機構と、
前記撮像機構に連動して移動する１つのロック部材と、
前記ロック部材の移動により、前記電池収納部の蓋と前記記憶媒体挿入部の蓋とをロックする第１方向に回動されるロックレバーとを備えた、撮像装置。
【請求項３】
１つの前記ロックレバーにより、前記電池収納部の蓋と前記記憶媒体挿入部の蓋との両方がロックされる、請求項２に記載の撮像装置。
【請求項４】
前記撮像機構と前記ロック部材とを連動させる連動部材と、
前記撮像機構に含まれるレンズを保持するレンズ保持部とをさらに備え、
前記連動部材は、前記レンズ保持部の移動を、前記ロック部材に伝達するように構成されている、請求項２または３に記載の撮像装置。
【請求項５】
前記ロックレバーを前記第１方向とは反対の第２方向に回動するように付勢する第１バネ部材と、
前記ロック部材が前記ロックレバーと係合する位置まで移動するように付勢する第２バネ部材とをさらに備え、
前記レンズ保持部は、前記装置本体の非起動時には、前記連動部材を介して、前記ロック部材を前記第２バネ部材の付勢力に抗して付勢方向と反対方向に移動することによって、前記ロック部材を前記ロックレバーから離間させて、前記第１バネ部材の付勢力により前記ロックレバーを前記第２方向に回動させるとともに、前記装置本体の起動時には、前記第２バネ部材の付勢方向に移動することによって、前記ロック部材を前記ロックレバーに係合させ、前記第１バネ部材の付勢力に抗して前記ロックレバーを前記第１方向に回動させるように構成されている、請求項４に記載の撮像装置。
【発明の詳細な説明】
【技術分野】
【０００１】
この発明は、撮像装置に関し、特に、電池を収納する電池収納部の蓋と記憶媒体挿入部の蓋とを備えた撮像装置に関する。
【背景技術】
【０００２】
従来、電池を収納する電池収納部の蓋と記憶媒体挿入部の蓋とを備えた撮像装置が知られている（たとえば、特許文献１参照）。
【０００３】
上記特許文献１には、電池収納部の電池蓋と、メモリ（記憶媒体）装填室のメモリ蓋と、撮像装置の作動部材と、電池蓋またはメモリ蓋をロックするロック部材とを備えた撮像装置が開示されている。この特許文献１に記載の撮像装置では、起動時に作動部材に連動して動くように設けられたロック部材が、電池蓋またはメモリ蓋のいずれか一方のみをロックするように構成されている。
【０００４】
【特許文献１】特開２００４−１６３６０８号公報
【発明の開示】
【発明が解決しようとする課題】
【０００５】
しかしながら、上記特許文献１に記載の撮像装置では、電池蓋またはメモリ蓋のいずれか一方のみをロックするように構成されているので、同時に両方の蓋をロックすることができないという問題点がある。
【０００６】
この発明は、上記のような課題を解決するためになされたものであり、この発明の１つの目的は、電池収納部の蓋と記憶媒体挿入部の蓋との両方をロックすることが可能な撮像装置を提供することである。
【課題を解決するための手段および発明の効果】
【０００７】
この発明の第１の局面による撮像装置は、電池を収納する電池収納部の蓋と記憶媒体挿入部の蓋とを有する装置本体と、装置本体の起動時に駆動する撮像機構とを備えた撮像装置において、撮像機構に連動して移動する１つのロック部材と、ロック部材の移動により、電池収納部の蓋と記憶媒体挿入部の蓋とをロックする第１方向に回動される１つのロックレバーと、撮像機構とロック部材とを連動させる連動部材と、撮像機構に含まれるレンズを保持するレンズ保持部と、ロックレバーを第１方向とは反対の第２方向に回動するように付勢する第１バネ部材と、ロック部材がロックレバーと係合する位置まで移動するように付勢する第２バネ部材とをさらに備えている。また、連動部材は、レンズ保持部の移動を、ロック部材に伝達するように構成され、レンズ保持部は、装置本体の非起動時には、連動部材を介して、ロック部材を第２バネ部材の付勢力に抗して付勢方向と反対方向に移動することによって、ロック部材をロックレバーから離間させて、第１バネ部材の付勢力によりロックレバーを第２方向に回動させるとともに、装置本体の起動時には、第２バネ部材の付勢方向に移動することによって、ロック部材をロックレバーに係合させて、第１バネ部材の付勢力に抗してロックレバーを第１方向に回動させるように構成されている。
【０００８】
この第１の局面による撮像装置では、上記のように、撮像機構に連動して移動する１つのロック部材と、ロック部材の移動により、電池収納部の蓋と記憶媒体挿入部の蓋とをロックする第１方向に回動されるロックレバーとを設けることによって、起動時にロック部材を移動させて、ロックレバーを第１方向に回動させることができるので、電池収納部の蓋と記憶媒体挿入部の蓋との両方をロックすることができる。
【０００９】
また、１つのロックレバーにより、電池収納部の蓋と記憶媒体挿入部の蓋との両方をロックするように構成することによって、電池収納部の蓋および記憶媒体挿入部の蓋それぞれに、ロックレバーを設ける必要がないので、部品点数の増加を抑制することができる。また、撮像機構に含まれるレンズを保持するレンズ保持部の移動をロック部材に伝達する連動部材を設けることによって、ロック部材をレンズ保持部に連動して移動させることができるので、レンズ保持部に連動してロックレバーを第１方向に回動させることができる。また、ロックレバーを第１方向とは反対の第２方向に回動するように付勢する第１バネ部材と、ロック部材がロックレバーと係合する位置まで移動するように付勢する第２バネ部材とを備え、レンズ保持部を、装置本体の非起動時には、ロック部材を第２バネ部材の付勢力に抗して付勢方向と反対方向に移動することにより、ロック部材をロックレバーから離間させて、第１バネ部材の付勢力により、ロックレバーを第２方向に回動させるように構成することによって、非起動時には、レンズ保持部に連動してロックレバーを第２方向に回動させることができるので、電池収納部の蓋と記憶媒体挿入部の蓋とをロックしないようにすることができる。また、レンズ保持部を、装置本体の起動時には、第２バネ部材の付勢方向にロック部材を移動することにより、ロック部材をロックレバーに係合させ、第１バネ部材の付勢力に抗してロックレバーを第１方向に回動させるように構成することによって、起動時には、レンズ保持部に連動してロックレバーを第１方向に回動させることができるので、電池収納部の蓋と記憶媒体挿入部の蓋とをロックすることができる。
【００１０】
この発明の第２の局面による撮像装置は、電池を収納する電池収納部の蓋と記憶媒体挿入部の蓋とを有する装置本体と、装置本体の起動時に駆動する撮像機構と、撮像機構に連動して移動する１つのロック部材と、ロック部材の移動により、電池収納部の蓋と記憶媒体挿入部の蓋とをロックする第１方向に回動されるロックレバーとを備えている。
【００１１】
この第２の局面による撮像装置では、上記のように、撮像機構に連動して移動する１つのロック部材と、ロック部材の移動により、電池収納部の蓋と記憶媒体挿入部の蓋とをロックする第１方向に回動されるロックレバーとを設けることによって、起動時にロック部材を移動させて、ロックレバーを第１方向に回動させることができるので、電池収納部の蓋と記憶媒体挿入部の蓋との両方をロックすることができる。
【００１２】
上記第２の局面による撮像装置において、好ましくは、１つのロックレバーにより、電池収納部の蓋と記憶媒体挿入部の蓋との両方がロックされる。このように構成すれば、電池収納部の蓋および記憶媒体挿入部の蓋それぞれに、ロックレバーを設ける必要がないので、部品点数の増加を抑制することができる。
【００１３】
上記第２の局面による撮像装置において、好ましくは、撮像機構とロック部材とを連動させる連動部材と、撮像機構に含まれるレンズを保持するレンズ保持部とをさらに備え、連動部材は、レンズ保持部の移動をロック部材に伝達するように構成されている。このように構成すれば、ロック部材をレンズ保持部に連動して移動させることができるので、レンズ保持部に連動してロックレバーを第１方向に回動させることができる。
【００１４】
この場合、好ましくは、ロックレバーを第１方向とは反対の第２方向に回動するように付勢する第１バネ部材と、ロック部材がロックレバーと係合する位置まで移動するように付勢する第２バネ部材とを備えている。また、レンズ保持部は、装置本体の非起動時には、連動部材を介して、ロック部材を第２バネ部材の付勢力に抗して付勢方向と反対方向に移動することにより、ロック部材をロックレバーから離間させて、第１バネ部材の付勢力により、ロックレバーを第２方向に回動させるように構成されている。このように構成すれば、非起動時には、レンズ保持部に連動してロックレバーを第２方向に回動させることができるので、電池収納部の蓋と記憶媒体挿入部の蓋とをロックしないようにすることができる。また、レンズ保持部は、装置本体の起動時には、第２バネ部材の付勢方向にロック部材を移動することにより、ロック部材をロックレバーに係合させ、第１バネ部材の付勢力に抗してロックレバーを第１方向に回動させるように構成されている。このように構成すれば、起動時には、レンズ保持部に連動してロックレバーを第１方向に回動させることができるので、電池収納部の蓋と記憶媒体挿入部の蓋とをロックすることができる。
【発明を実施するための最良の形態】
【００１５】
以下、本発明を具体化した実施形態を図面に基づいて説明する。
【００１６】
図１は、本発明の一実施形態によるビデオカメラの全体構成を示す斜視図である。図２は、図１に示した本発明の一実施形態によるビデオカメラを別方向から見た場合の斜視図である。図３〜図１３は、図１に示した本発明の一実施形態によるビデオカメラの詳細を示した図である。図１〜図１３を参照して、本発明の一実施形態によるビデオカメラの構成について説明する。なお、本実施形態では、本発明の撮像装置の一例として、ビデオカメラに本発明を適用した場合について説明する。
【００１７】
本発明の一実施形態によるビデオカメラの装置本体１は、図１および図２に示すように、樹脂製の筐体２と、光学レンズ３（図１参照）が内部に収納された鏡筒４と、ストロボ５（図１参照）と、内蔵マイク６（図１参照）と、図示しないビデオテープが着脱可能に装着されるビデオカセット部７と、映像を録画する際に使用される録画／再生ボタン８と、静止画像を録画する際に使用されるフォトボタン９と、装置本体１を起動するための電源ボタン１０（図２参照）と、ファインダ１１（図２参照）と、録画時の映像を画面表示可能な液晶モニタ１２（図２参照）とを備えた構造を有する。
【００１８】
また、筐体２には、底部に電池収納部の電池蓋１３（図２参照）と、後方側（矢印Ｂ方向側）にメモリカード挿入部１４（図５参照）の蓋１５（図２参照）とが設けられている。なお、電池蓋１３は、本発明の「蓋」の一例であり、メモリカード挿入部１４は、本発明の「記憶媒体挿入部」の一例である。また、図３および図４に示すように、筐体２の内側には、装置本体１の前後方向（矢印Ａ方向および矢印Ｂ方向）に移動可能な円柱状のロックピン１６と、ロックピン１６を保持する筒状のピンケース１７と、ロックピン１６を後方向（矢印Ｂ方向）に付勢する圧縮コイルバネ１８と、ロックピン１６の移動によって回動されるロックレバー１９と、ロックレバー１９に一方端が取り付けられた引張りコイルバネ２０とが設けられている。なお、ロックピン１６は、本発明の「ロック部材」の一例である。また、圧縮コイルバネ１８は、本発明の「第２バネ部材」の一例であり、引張りコイルバネ２０は、本発明の「第１バネ部材」の一例である。また、筐体２には、ロックレバー１９に取り付けられた引張りコイルバネ２０の一方端部と反対側の端部が取り付けられるフック部２１とが設けられている。また、筐体２には、図５および図７に示すように、メモリカード挿入部１４の蓋１５を取り付けるための２つの取付部２２が設けられている。また、図７に示すように、２つの取付部２２は、それぞれ細長状の穴２２ａを有している。
【００１９】
また、光学レンズ３は、３つのレンズ３ａ、３ｂおよび３ｃを含んでおり、前方側（矢印Ａ方向側）から２番目に配置されたレンズ３ｂおよび３番目のレンズ３ｃには、それぞれレンズ３ｂを保持するレンズ保持部２３およびレンズ３ｃを保持するレンズ保持部２４が取り付けられている。また、レンズ保持部２３およびレンズ保持部２４には、モータ２５によって回転されるネジを有したレンズ駆動軸（ボールネジ）２６に螺合されるネジ部（図示せず）が設けられており、レンズ駆動軸２６が回転駆動することによって、レンズ保持部２３は、前後方向（矢印Ａ方向および矢印Ｂ方向）に移動可能なように構成されている。なお、モータ２５およびレンズ駆動軸２６は、本発明の「撮像機構」の一例である。また、レンズ保持部２３には、レンズ保持部２３とロックピン１６とを連動させる連動部材２７の一方端が取り付けられている。連動部材２７の他方端は、ロックピン１６に取り付けられている。この連動部材２７は、レンズ保持部２３の移動を、ロックピン１６に伝達するように構成されている。また、装置本体１の起動時には、レンズ保持部２３は、圧縮コイルバネ１８の付勢方向（矢印Ｂ方向側）に移動し、非起動時には、レンズ保持部２３は、連動部材２７を介して、ロックピン１６を圧縮コイルバネ１８の付勢力に抗して付勢方向と反対方向（矢印Ａ方向）に移動するように構成されている。
【００２０】
また、複数の光学レンズ３が収納された鏡筒４の前部は、図２および図３に示すように、筐体２の前方側（矢印Ａ方向側）に突出するように構成されている。また、ストロボ５は、撮像時に補助光として発光する機能を有している。また、内蔵マイク６は、撮像時（録画時）に被写体周辺の音を収集する機能を有している。また、録画／再生ボタン８は、ユーザが撮像時に押圧することによって、撮像した映像をビデオテープ（図示せず）に録画する動作を開始するとともに、録画終了時には、ビデオテープへの録画を停止する機能を有している。また、フォトボタン９は、ユーザが撮像時に押圧することにより、押圧された際に撮像されていた映像を静止画像としてメモリカード挿入部１４に装着されたメモリカード（図示せず）へ録画する機能を有する。また、電源ボタン１０は、装置本体１の非起動時には、押圧されることによって装置本体１を起動させ、装置本体１の起動時には、押圧されることによって装置本体１の起動を終了するように構成されている。また、ファインダ１１および筐体２から開閉可能に設けられる液晶モニタ１２は、ユーザがファインダ１１および液晶モニタ１２のいずれか、またはその両方を通して被写体を見ながら、撮像範囲を決定することが可能なように構成されている。
【００２１】
ここで、本実施形態では、図６に示すように、電池蓋１３の内面には、Ｌ字形状のロック部１３ａが設けられている。また、電池蓋１３の矢印Ｅ方向側の一方端部には、電池蓋１３を回動可能に筐体２に取り付けるための取付部１３ｂが設けられている。また、電池蓋１３の矢印Ｆ方向側の他方端部には、電池蓋１３を閉めた際に不用意に開いてしまわないように筐体２に設けられた係合部２８（図９参照）と係合する係合部１３ｃが設けられている。これにより、図５に示すように、電池蓋１３は、取付部１３ｂを中心に回動し、開閉することが可能なように構成されている。
【００２２】
また、図７に示すように、メモリカード挿入部１４の蓋１５は、内面に設けられた突起部１５ａと、筐体２に設けられた２つの取付部２２の穴２２ａに挿入される軸部１５ｂを含む取付部１５ｃとを有している。これにより、軸部１５ｂが細長状の穴２２ａの矢印Ｆ方向側の端部に位置する場合には、図５に示すように、蓋１５は軸部１５ｂを中心として回動可能であるが、軸部１５ｂが細長状の穴２２ａの矢印Ｅ方向側に位置する場合には、取付部１５ｃが筐体２に接触して回動することが制限される。つまり、蓋１５は、矢印Ｆ方向にスライドし、軸部１５ｂを細長状の穴２２ａの矢印Ｆ方向側の端部に移動しなければ開閉できないように構成されている。
【００２３】
また、図８および図１０に示すように、ロックピン１６は、連動部材２７によって、レンズ保持部２３と連動して移動するとともに、圧縮コイルバネ１８の付勢力によって、ロックレバー１９と係合する位置まで移動するように構成されている。また、円柱状のロックピン１６の先端部は、先端に向かって徐々に直径が小さくなるテーパ形状に形成されている。
【００２４】
また、図９、図１１および図１２に示すように、ロックレバー１９は、電池蓋１３のロック部１３ａと接触し、電池蓋１３が回動しないようにロックする電池蓋ロック部１９ａと、メモリカード挿入部１４の蓋１５の突起部１５ａと接触し、蓋１５がスライドしないようにロックするスライドロック部１９ｂと、ロックピン１６と係合するストッパー部１９ｃと、引張りコイルバネ２０の他方端を取り付ける取付孔１９ｄとを有している。また、図１３に示すように、ロックレバー１９は、２枚のワッシャ４０を介してボルト５０によって、筐体２に設けられたボス部２９に回動可能に取り付けられている。また、ボルト５０は、先端部のみネジ部を有する。そして、ボルト５０のロックレバー１９と接触する中央部は、ロックレバー１９がスムーズに回動可能なようにネジ部を含まないように構成されている。また、ストッパー部１９ｃの上部は、ロックピン１６のテーパ形状の先端部に沿うように形成された傾斜部１９ｅが設けられている。これにより、ロックピン１６が、スムーズにロックレバー１９のストッパー部１９ｃと係合することが可能である。
【００２５】
また、引張りコイルバネ２０は、ロックレバー１９をボルト５０を中心に、図１１に示す矢印Ｈ方向に回動するように付勢するように構成されている。
【００２６】
また、本実施形態では、装置本体１の起動時には、図８に示すように、レンズ保持部２３は、圧縮コイルバネ１８の付勢方向（矢印Ｂ方向）に移動することによって、ロックピン１６は、圧縮コイルバネ１８の付勢力により、テーパ形状の先端部がストッパー部１９ｃの傾斜部１９ｅに沿って後方向（矢印Ｂ方向）に移動され、ストッパー部１９ｃを下方（矢印Ｄ方向）に押し下げて、ストッパー部１９ｃと係合されるように構成されている。この際、ロックレバー１９は、図９に示すように、ロックピン１６の移動によって、ストッパー部１９ｃが押し下げられるので、引張りコイルバネ２０の付勢力に抗して矢印Ｇ方向に回動される。すなわち、装置本体１の起動時には、レンズ保持部２３は、圧縮コイルバネ１８の付勢方向（矢印Ｂ方向）に移動することによって、ロックピン１６をストッパー部１９ｃに係合させ、ロックレバー１９を矢印Ｇ方向に回動させるように構成されている。これにより、電池蓋１３のロック部１３ａがロックレバー１９の電池蓋ロック部１９ａに接触するため、電池蓋１３が取付部１３ｂを中心に回動するのを制限し、突起部１５ａがロックレバー１９のスライドロック部１９ｂに接触するため、メモリカード挿入部１４の蓋１５が、矢印Ｆ方向にスライドするのを制限することが可能である。つまり、電池蓋１３と蓋１５とは、ロックレバー１９が矢印Ｇ方向に回動されることによって、ロックされるように構成されている。
【００２７】
また、装置本体１が非起動時には、図１０に示すように、レンズ保持部２３は、連動部材２７を介して、前方向（矢印Ａ方向）に移動することによって、ロックピン１６を、圧縮コイルバネ１８の付勢力に抗して付勢方向と反対方向（矢印Ａ方向）に移動することによって、ロックピン１６は、ストッパー部１９ｃから離間されるように構成されている。この際、図１１に示すように、ロックレバー１９は、引張りコイルバネ２０の付勢力により矢印Ｈ方向に回動される。これにより、電池蓋ロック部１９ａは、電池蓋１３のロック部１３ａから離間する方向に移動され、スライドロック部１９ｂは、メモリカード挿入部１４の蓋１５の突起部１５ａから離間する方向に移動されるので、電池蓋１３は回動し、メモリカード挿入部１４の蓋１５はスライドすることが可能である。
【００２８】
次に、図１、図４、図５および図７〜図１２を参照して、本発明の一実施形態によるビデオカメラの起動時および終了時（非起動時）の動作について説明する。
【００２９】
まず、ビデオカメラの装置本体１は、電源ボタン１０が押圧されることによって、起動される。装置本体１が起動されると、モータ２５によりレンズ駆動軸２６が回転され、レンズ保持部２３は、後方向（矢印Ｂ方向）に移動される。そして、ロックピン１６は、圧縮コイルバネ１８の付勢力によって後方向（矢印Ｂ方向）に移動され、ロックレバー１９のストッパー部１９ｃを下方（矢印Ｄ方向）に押し下げて、ストッパー部１９ｃと係合される。この際、図９に示すように、ロックレバー１９は、引張りコイルバネ２０の付勢力に抗して矢印Ｇ方向に回動される。これにより、電池蓋１３のロック部１３ａが電池蓋ロック部１９ａに接触するため、電池蓋１３が取付部１３ｂを中心に回動するのが制限されるので、開閉がロックされる。また、突起部１５ａがスライドロック部１９ｂに接触するため、メモリカード挿入部１４の蓋１５が矢印Ｆ方向にスライドするのが制限されるので、開閉がロックされる。
【００３０】
次に、電源ボタン１０が起動時に押圧されることによって、装置本体１の動作が終了される。装置本体１の動作が終了されると、モータ２５によりレンズ駆動軸２６が回転されることによりレンズ保持部２３が移動され、連動部材２７を介して、ロックピン１６は圧縮コイルバネ１８の付勢力に抗して付勢方向と反対方向（矢印Ａ方向）に移動される。この際、図１１に示すように、ロックレバー１９は、引張りコイルバネ２０の付勢力により矢印Ｈ方向に回動される。これにより、電池蓋ロック部１９ａは、電池蓋１３のロック部１３ａから離間する方向に移動され、スライドロック部１９ｂは、メモリカード挿入部１４の蓋１５の突起部１５ａから離間する方向に移動されるので、電池蓋１３は回動可能とされ、メモリカード挿入部１４の蓋１５はスライド可能とされる。
【００３１】
本実施形態では、上記のように、レンズ保持部２３に連動して移動する１つのロックピン１６と、ロックピン１６の移動により、電池収納部の電池蓋１３とメモリカード挿入部１４の蓋１５とをロックする図９に示す矢印Ｇ方向に回動されるロックレバー１９とを設けることによって、起動時にロックピン１６を移動させて、ロックレバー１９を矢印Ｇ方向に回動させることができるので、電池蓋１３とメモリカード挿入部１４の蓋１５との両方をロックすることができる。
【００３２】
また、本実施形態では、１つのロックレバー１９により、電池蓋１３とメモリカード挿入部１４の蓋１５との両方をロックするように構成することによって、電池蓋１３およびメモリカード挿入部１４の蓋１５それぞれに、ロックレバー１９を設ける必要がないので、部品点数の増加を抑制することができる。
【００３３】
また、本実施形態では、レンズ３ｂを保持するレンズ保持部２３の移動をロックピン１６に伝達する連動部材２７を設けることによって、ロックピン１６をレンズ保持部２３に連動して移動させることができるので、レンズ保持部２３に連動してロックレバー１９を図９に示す矢印Ｇ方向に回動させることができる。
【００３４】
また、本実施形態では、ロックレバー１９を図１１に示す矢印Ｈ方向に回動するように付勢する引張りコイルバネ２０と、ロックピン１６がロックレバー１９と係合する位置まで移動するように付勢する圧縮コイルバネ１８とを備え、レンズ保持部２３を、装置本体１の非起動時には、ロックピン１６を圧縮コイルバネ１８の付勢力に抗して付勢方向と反対方向（図１０の矢印Ａ方向）に移動することにより、ロックピン１６をロックレバー１９から離間させて、引張りコイルバネ２０の付勢力により、ロックレバー１９を図１１の矢印Ｈ方向に回動させるように構成することによって、非起動時には、レンズ保持部２３に連動してロックレバー１９を矢印Ｈ方向に回動させることができるので、電池蓋１３とメモリカード挿入部１４の蓋１５とをロックしないようにすることができる。また、レンズ保持部２３を、装置本体１の起動時には、圧縮コイルバネ１８の付勢方向（図８の矢印Ｂ方向）にロックピン１６を移動することにより、ロックピン１６をロックレバー１９に係合させ、引張りコイルバネ２０の付勢力に抗してロックレバー１９を図９に示す矢印Ｇ方向に回動させるように構成することによって、起動時には、レンズ保持部２３に連動してロックレバー１９を矢印Ｇ方向に回動させることができるので、電池蓋１３とメモリカード挿入部１４の蓋１５とをロックすることができる。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
たとえば、上記実施形態では、撮像装置の一例としてビデオカメラを示したが、本発明はこれに限らず、電池蓋と記憶媒体挿入部の蓋とを備えた撮像装置であれば、ビデオカメラ以外の他の撮像装置にも適用可能である。
【００３７】
また、上記実施形態では、ロック部材を移動させる撮像機構の一例としてレンズ保持部を示したが、本発明はこれに限らず、起動時に駆動する撮像機構であれば、他の撮像機構を用いてもよい。
【００３８】
また、上記実施形態では、ロックレバーとして、１つのロックレバーを用いる一例を示したが、本発明はこれに限らず、複数のロックレバーを用いて、電池収納部の蓋と記憶媒体挿入部の蓋とをロックしてもよい。
【００３９】
また、上記実施形態では、連動部材をロック部材と別体とする一例を示したが、本発明はこれに限らず、連動部材をロック部材と一体的に形成してもよい。
【図面の簡単な説明】
【００４０】
【図１】本発明の一実施形態によるビデオカメラの全体構成を示す斜視図である。
【図２】図１に示した本発明の一実施形態によるビデオカメラを別方向から見た場合の斜視図である。
【図３】図１に示した本発明の一実施形態によるビデオカメラの矢印Ｅ方向側から見た図である。
【図４】図１に示した本発明の一実施形態によるビデオカメラの矢印Ｂ方向側から見た図である。
【図５】図１に示した本発明の一実施形態によるビデオカメラの矢印Ｂ方向側から見た図である。
【図６】図１に示した本発明の一実施形態によるビデオカメラの電池蓋を示した斜視図である。
【図７】図１に示した本発明の一実施形態によるビデオカメラのメモリカード挿入部の蓋を示した斜視図である。
【図８】図１に示した本発明の一実施形態によるビデオカメラの起動時を示した図である。
【図９】図８の１００−１００線に沿った断面図である。
【図１０】図１に示した本発明の一実施形態によるビデオカメラの非起動時を示した図である。
【図１１】図１０の２００−２００線に沿った断面図である。
【図１２】図１に示した本発明の一実施形態によるビデオカメラの非起動時を示した図である。
【図１３】図１に示した本発明の一実施形態によるビデオカメラのロックレバーを取り付けるネジ周辺を示した図である。
【符号の説明】
【００４１】
１          装置本体
１３        電池蓋（蓋）
１４        メモリカード挿入部（記憶媒体挿入部）
１６        ロックピン（ロック部材）
１８        圧縮コイルバネ（第２バネ部材）
１９        ロックレバー
２０        引張りコイルバネ（第１バネ部材）
２３，２４  レンズ保持部
２５        モータ（撮像機構）
２６        レンズ駆動軸（撮像機構）
２７        連動部材
【図１】
2008199335.tif 000003
【図２】
2008199335.tif 000004
【図３】
2008199335.tif 000005
【図４】
2008199335.tif 000006
【図５】
2008199335.tif 000007
【図６】
2008199335.tif 000008
【図７】
2008199335.tif 000009
【図８】
2008199335.tif 000010
【図９】
2008199335.tif 000011
【図１０】
2008199335.tif 000012
【図１１】
2008199335.tif 000013
【図１２】
2008199335.tif 000014
【図１３】
2008199335.tif 000015